(57)【要約】【課題】施錠部材と操作部材とを連動させる機構を簡易なものとし、組み立てやすくすることで、施錠部材と操作部材の相対的な取付位置を、引戸の大きさや設置場所等の状況に応じて変更することが可能で、施錠部材及び操作部材の取付作業が簡単に行うことができるアウトセット引戸用錠を提供すること。【解決手段】引戸Ｄの戸先部を穿って形成された第１の凹部Ｄ１に埋設される第１のケース体１０に収容され、引戸Ｄの表面側に出没する施錠片１１を有する施錠部材１と、第１の凹部Ｄ１と引戸Ｄの幅方向に位置をずらして引戸Ｄの表面部を穿って形成された第２の凹部Ｄ２に埋設される第２のケース体２０に収容される操作部材２と、施錠部材１と操作部材２に架け渡すようにして配設され、操作部材２の操作によって水平状態を維持して上下動する軸部材３とを備えてなり、施錠部材１は、操作部材２の操作によって水平状態を維持して上下動する軸部材３を介して、操作部材２と連動するようにする。【選択図】図１
2019163640.tif 000002
【特許請求の範囲】
【請求項１】
引戸の戸先部を穿って形成された第１の凹部に埋設される第１のケース体に収容され、引戸の表面側に出没する施錠片を有する施錠部材と、第１の凹部と引戸の幅方向に位置をずらして引戸の表面部を穿って形成された第２の凹部に埋設される第２のケース体に収容される操作部材と、施錠部材と操作部材に架け渡すようにして配設され、操作部材の操作によって水平状態を維持して上下動する軸部材とを備えてなり、前記施錠部材は、操作部材の操作によって水平状態を維持して上下動する軸部材を介して、操作部材と連動するようにされてなることを特徴とするアウトセット引戸用錠。
【請求項２】
前記第１の凹部が、引戸の戸先部の角部を切り欠いて形成され、該切り欠いた引戸の木口側から、施錠部材を介した軸部材を、操作部材に架け渡すようにして配設するようにしたことを特徴とする請求項１に記載のアウトセット引戸用錠。
【請求項３】
前記第２のケース体に収容される操作部材が、第２のケース体を分割して構成するとともに、引戸の一方の表面部に取り付けられる第１の操作部材と、引戸の他方の表面部に取り付けられる第２の操作部材とからなり、第１の操作部材と第２の操作部材とが連動するようにされてなることを特徴とする請求項１又は２に記載のアウトセット引戸用錠。
【発明の詳細な説明】
【技術分野】
【０００１】
本発明は、アウトセット（外付け）引戸に用いる錠に関するものである。
【背景技術】
【０００２】
従来、家屋の開口部に外付けにより取り付けられるアウトセット（外付け）引戸が知られており、開口部の内部に設置する引戸に比べて簡易に設置することかできるという利点を有することから、改造や新築家屋において多用されている。
【０００３】
ところで、アウトセット引戸は、開口部の内側に装着される引戸で汎用されている引戸の閉じ方向に施錠するタイプの施錠片を有する錠をそのまま使用することができない。
【０００４】
そこで、引戸の開閉方向と直交する方向（引戸の表面側）に出没する施錠片を、柱等に係止するようにしたアウトセット引戸用錠が提案されている（例えば、特許文献１〜２参照。）。
【先行技術文献】
【特許文献】
【０００５】
【特許文献１】特開２０１１−５２４６７号公報
【特許文献２】特開２０１４−２２７７５１号公報
【発明の概要】
【発明が解決しようとする課題】
【０００６】
ところで、上記従来のアウトセット引戸用錠は、施錠部材と操作部材とを連動させる機構が複雑で、例えば、施錠部材と操作部材の相対的な取付位置を、引戸の大きさや設置場所等の状況に応じて変更することが困難であったり、施錠部材及び操作部材の取付作業に手数を要するという問題があった。
【０００７】
本発明は、上記従来のアウトセット引戸用錠の有する問題点に鑑み、施錠部材と操作部材とを連動させる機構を簡易なものとし、組み立てやすくすることで、施錠部材と操作部材の相対的な取付位置を、引戸の大きさや設置場所等の状況に応じて変更することが可能で、施錠部材及び操作部材の取付作業が簡単に行うことができるアウトセット引戸用錠を提供することを目的とする。
【課題を解決するための手段】
【０００８】
上記目的を達成するため、本発明のアウトセット引戸用錠は、引戸の戸先部を穿って形成された第１の凹部に埋設される第１のケース体に収容され、引戸の表面側に出没する施錠片を有する施錠部材と、第１の凹部と引戸の幅方向に位置をずらして引戸の表面部を穿って形成された第２の凹部に埋設される第２のケース体に収容される操作部材と、施錠部材と操作部材に架け渡すようにして配設され、操作部材の操作によって水平状態を維持して上下動する軸部材とを備えてなり、前記施錠部材は、操作部材の操作によって水平状態を維持して上下動する軸部材を介して、操作部材と連動するようにされてなることを特徴とする。
【０００９】
この場合において、前記第１の凹部が、引戸の戸先部の角部を切り欠いて形成され、該切り欠いた引戸の木口側から、施錠部材を介した軸部材を、操作部材に架け渡すようにして配設することができる。
【００１０】
また、前記第２のケース体に収容される操作部材が、第２のケース体を分割して構成するとともに、引戸の一方の表面部に取り付けられる第１の操作部材と、引戸の他方の表面部に取り付けられる第２の操作部材とからなり、第１の操作部材と第２の操作部材とが連動するようにすることができる。
【発明の効果】
【００１１】
本発明のアウトセット引戸用錠によれば、施錠部材と操作部材に架け渡すようにして配設され、操作部材の操作によって水平状態を維持して上下動する軸部材によって、施錠部材と操作部材とを連動させる機構を簡易なものとし、第１のケース体に収容された施錠部材と、第２のケース体に収容された操作部材とを、組み立てやすくすることで、施錠部材と操作部材の相対的な取付位置を、引戸の大きさや設置場所等の状況に応じて変更することが可能となり、また、施錠部材及び操作部材の取付作業を簡単に行うことができるものとなる。
【００１２】
また、前記第１の凹部が、引戸の戸先部の角部を切り欠いて形成され、該切り欠いた引戸の木口側から、施錠部材を介した軸部材を、操作部材に架け渡すようにして配設することにより、施錠部材及び操作部材の取付作業を簡単に行うことができるものとなる。
【００１３】
また、前記第２のケース体に収容される操作部材が、第２のケース体を分割して構成するとともに、引戸の一方の表面部に取り付けられる第１の操作部材と、引戸の他方の表面部に取り付けられる第２の操作部材とからなり、第１の操作部材と第２の操作部材とが連動するようにすることにより、アウトセット引戸用錠の用途を多様化することができる。
【図面の簡単な説明】
【００１４】
【図１】本発明のアウトセット引戸用錠の一実施例を示し、アウトセット引戸用錠を引戸に取り付けた状態を示す横断面図である。
【図２】同アウトセット引戸用錠を引戸に取り付けた状態を示す正面図である。
【図３】同アウトセット引戸用錠の施錠部材（カバー部材を取り付けた状態）を示し、（ａ）は正面図、（ｂ）は側面図（引戸の戸先側からの視図）である。
【図４】同アウトセット引戸用錠の施錠部材（カバー部材を外した状態）を示す側面図（引戸の戸先側からの視図）である。
【図５】同アウトセット引戸用錠の施錠部材の内部構造を示す側面図（引戸の戸先側からの視図）で、（ａ）は開錠時、（ｂ）は施錠時である。
【図６】同アウトセット引戸用錠の操作部材を示し、（ａ）は背面図（第２の操作部材側からの視図）、（ｂ）は側面図（引戸の戸尻側からの視図）である。
【図７】同アウトセット引戸用錠の操作部材の内部構造を示す側面図（引戸の戸尻側からの視図）である。
【図８】同アウトセット引戸用錠の通常操作用操作片（サムターン）の例を示し、（ａ−１）〜（ｃ−１）は各々の通常操作用操作片（サムターン）の正面図、（ａ−２）〜（ｃ−２）は各々の通常操作用操作片（サムターン）の側面図である。
【図９】同アウトセット引戸用錠を取り付ける引戸を示す正面図である。
【図１０】同アウトセット引戸用錠を取り付ける引戸を示す側面図（引戸の戸先側からの視図）である。
【図１１】同アウトセット引戸用錠を取り付ける引戸を示す横断面図である。
【発明を実施するための形態】
【００１５】
以下、本発明のアウトセット引戸用錠の実施の形態を、図面に基づいて説明する。
【００１６】
図１〜図１１に、本発明のアウトセット引戸用錠の一実施例を示す。
このアウトセット引戸用錠は、引戸Ｄの戸先部を穿って形成された第１の凹部Ｄ１に埋設される第１のケース体１０に収容され、引戸Ｄの表面側に出没する施錠片１１を有する施錠部材１と、第１の凹部Ｄ１と引戸Ｄの幅方向に位置をずらして引戸Ｄの表面部を穿って形成された第２の凹部（本実施例においては、貫通部。）Ｄ２に埋設される第２のケース体２０に収容される操作部材２と、施錠部材１と操作部材２に架け渡すようにして配設され、操作部材２の操作によって水平状態を維持して上下動する軸部材３とを備えてなり、施錠部材１は、操作部材２の操作によって水平状態を維持して上下動する軸部材３を介して、操作部材２と連動するようにしている。
ここで、引戸Ｄの開閉方向と直交する方向（引戸Ｄの表面側）に出没する施錠片１１は、柱Ｐ等に設けた錠受け（図示省略）に係止するようにする。
【００１７】
ところで、本実施例において、第１の凹部Ｄ１は、引戸Ｄの戸先部の角部を切り欠いて形成され、この切り欠いた引戸Ｄの木口側から、施錠部材１を介した軸部材３を、操作部材２に架け渡すようにして配設することができるようにしている。
軸部材３は、頭部を備えた丸棒材で構成されており、施錠部材１と操作部材２に架け渡すようにして配設した後、軸部材３の所定位置に形成した溝部にＣ形止め輪３１を取り付けて抜け止めするようにしている。
なお、軸部材３は、施錠部材１と操作部材２の設置間距離に適合した長さのものを用いることができ、これにより、施錠部材１と操作部材２の設置間距離を任意に設定することができる。
【００１８】
第１の凹部Ｄ１と第２の凹部Ｄ２とは、引戸Ｄの幅方向に位置をずらして、具体的には、引戸Ｄの幅方向に間隔をあけて形成するようにし、第１の凹部Ｄ１と第２の凹部Ｄ２とを、中空部Ｄ３を介して連通するようにし、この中空部Ｄ３に、操作部材２の操作によって水平状態を維持して上下動する軸部材３が挿通されるようにしている。
【００１９】
施錠部材１は、第１のケース体１０に収容され、第１のケース体１０は、その外表面を断面Ｌ状のカバー部材１２で覆うようにし、カバー部材１２を介して、ビス１３ａ、１３ｂを用いて引戸Ｄに固定するようにしている。
ここで、カバー部材１２に形成したビス１３ａを挿通するビス孔１２ａは、バーリング加工によって内側に突出するバーリング部１２ｂを形成し、このバーリング部１２ｂを、図５に示すように、第１のケース体１０の表板１０ａに形成した透孔１０ｂに嵌合させることで両部材の位置決め及びズレを防止し、両部材の一体性を高めることで、第１のケース体１０及びカバー部材１２を引戸Ｄに正確に固定できるようにしている。
なお、一方のビス１３ｂ及びカバー部材１２に形成した、それに対応するビス孔は、省略することができる。
【００２０】
また、施錠部材１は、鉤状の施錠片１１を有するとともに、この施錠片１１を、操作部材２の操作によって軸部材３を水平状態を維持して上下動させることで揺動させて引戸Ｄの表面側に出没するようにする連動機構１４を備えるようにする。
この連動機構１４は、軸部材３が貫通して、軸部材３の上下動に合わせて上下動する摺動板１４ａと、摺動板１４ａに設けた２個の長孔１４ｂとからなり、この長孔１４ｂに施錠片１１の基部に形成した２本のピン１１ａを挿入することで、施錠片１１の基部をガイドして、摺動板１４ａが上下動することで施錠片１１が揺動して引戸Ｄの表面側に出没するようにしている。
摺動板１４ａと第１のケース体１０との間には、ねじりばね１５を介在し、摺動板１４ａの上下動の中間位置を挟んで、摺動板１４ａが上方向又は下方向に付勢されるようにしている。
ここで、本実施例においては、軸部材３が摺動板１４ａを貫通するようにしたが、両部材の一体性を高めるため、軸部材３が摺動板１４ａを貫通する箇所で両部材を溶接したり、軸部材３側に雄ねじを、摺動板１４ａ側にねじ穴をそれぞれ形成して、両部材を螺合構造とすることができる。この場合、軸部材３の頭部を省略することができ、さらに、軸部材３を受け入れる操作部材２の受部２２ａの手前に、軸部材３の雄ねじに螺合するダブルナットを配設することで、軸部材３の緩みによる抜け落ちを防止することができる。
また、本実施例においては、鉤状の施錠片１１を揺動させて引戸Ｄの表面側に出没するようにしたが、連動機構１４の摺動板１４ａに傾斜したガイド溝を形成し、このガイド溝にガイドされるピン状の施錠片を摺動させて引戸Ｄの表面側に出没するようにすることもできる。
【００２１】
第２のケース体２０に収容される操作部材２は、第２のケース体２０を、ケース体２０ａと、ケース体２０ｂとに分割して構成するとともに、引戸Ｄの一方の表面部に取り付けられる第１の操作部材２ａと、引戸Ｄの他方の表面部に取り付けられる第２の操作部材２ｂとからなり、第１の操作部材２ａと第２の操作部材２ｂとが連動するようにしている。  ケース体２０ａとケース体２０ｂは、引戸Ｄを間に挟むようにして、ビス２３によって固定するようにしている。
【００２２】
ここで、第１の操作部材２ａは、通常操作用操作片（サムターン）２１ａを備えるようにし、第２の操作部材２ｂは、コイン等で操作できる非常解錠用操作片２１ｂを備えるようにしている。
通常操作用操作片（サムターン）２１ａは、図８に示すように、操作しやすい任意の形状のものを採用することができる。
第１の操作部材２ａの通常操作用操作片（サムターン）２１ａには、軸部材３を受け入れる断面Ｕ状の受部２２ａを一体に形成するようにし、第２の操作部材２ｂの非常解錠用操作片２１ｂには、断面Ｕ状の受部２２ａに嵌入する連動片２２ｂを一体に形成するようにし、これにより、いずれかの操作片２１ａ、２１ｂを操作することで、軸部材３を、水平状態を維持して上下動するようにしている。
ここで、本実施例においては、丸棒材で構成された軸部材３を、受部２２ａと連動片２２ｂとで形成された空間部に遊嵌するようにしたが、軸部材３（上記のように、軸部材３側に雄ねじを形成する場合も同様。）の先端部を異形（例えば、小判型の断面形状。）に形成し、受部２２ａと連動片２２ｂとで形成された空間部に嵌合させることで、軸部材３が回転しないようにすることができる。
また、軸部材３と、例えば、受部２２ａの一体性を高めるため、軸部材３側に雄ねじを、受部２２ａ側にねじ穴（不完全なねじ穴でも可。）をそれぞれ形成して、両部材を螺合構造とすることもできる。
ところで、本実施例において、第１の操作部材２ａの通常操作用操作片（サムターン）２１ａ及び第２の操作部材２ｂの非常解錠用操作片２１ｂは、いずれも、上下動操作するもので構成したが、例えば、非常解錠用操作片２１ｂに形成する連動片を偏心軸としたり、通常操作用操作片（サムターン）２１ａに形成する受部を自転機構を備えた偏心軸とすることで、回転動操作するもので構成することもできる。
また、第２の操作部材２ｂを省略したり、第２の操作部材２ｂにシリンダ錠等の施錠機能を備えたものを用いる等、操作部材２の組み合わせをアウトセット引戸用錠の用途に応じて適宜変更することもできる。
これらによって、このアウトセット引戸用錠の用途を多様化することができる。
【００２３】
このアウトセット引戸用錠によれば、施錠部材１と操作部材２に架け渡すようにして配設され、操作部材２の操作によって水平状態を維持して上下動する軸部材３によって、施錠部材１と操作部材２とを連動させる機構を簡易なものとし、第１のケース体１０に収容された施錠部材１と、第２のケース体２０に収容された操作部材２とを、組み立てやすくすることで、施錠部材１と操作部材２の相対的な取付位置を、引戸Ｄの大きさや設置場所等の状況に応じて変更することが可能となり、また、施錠部材１及び操作部材２の取付作業を簡単に行うことができるものとなる。
【００２４】
また、このアウトセット引戸用錠を構成する施錠部材１（本実施例のカバー部材１２を除く。）及び操作部材２は、左右対象で使用方向が限定されないため、左右勝手のない、汎用性の高い構造となっている。
【００２５】
以上、本発明のアウトセット引戸用錠について、その実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明のアウトセット引戸用錠は、施錠部材と操作部材とを連動させる機構を簡易なものとし、組み立てやすくすることで、施錠部材と操作部材の相対的な取付位置を、引戸の大きさや設置場所等の状況に応じて変更することが可能で、施錠部材及び操作部材の取付作業が簡単に行うことができるという特性を有していることから、アウトセット（外付け）引戸に用いる錠の用途に好適に用いることができる。
【符号の説明】
【００２７】
１  施錠部材
１０  第１のケース体
１０ａ  表板
１０ｂ  透孔
１１  施錠片
１１ａ  ピン
１２  カバー部材
１２ａ  ビス孔
１２ｂ  バーリング部
１３ａ  ビス
１３ｂ  ビス
１４  連動機構
１４ａ  摺動板
１４ｂ  長孔
１５  ねじりばね
２  操作部材
２ａ  第１の操作部材
２ｂ  第２の操作部材
２０  第２のケース体
２０ａ  ケース体
２０ｂ  ケース体
２１ａ  通常操作用操作片（サムターン）
２１ｂ  非常解錠用操作片
２２ａ  受部
２２ｂ  連動片
２３  ビス
３  軸部材
３１  Ｃ形止め輪
Ｄ  引戸
Ｄ１  第１の凹部
Ｄ２  第２の凹部
Ｄ３  中空部
Ｐ  柱
【図１】
2019163640.tif 000003
【図２】
2019163640.tif 000004
【図３】
2019163640.tif 000005
【図４】
2019163640.tif 000006
【図５】
2019163640.tif 000007
【図６】
2019163640.tif 000008
【図７】
2019163640.tif 000009
【図８】
2019163640.tif 000010
【図９】
2019163640.tif 000011
【図１０】
2019163640.tif 000012
【図１１】
2019163640.tif 000013